(57)【要約】【課題】簡単な構造で立体的な表示が可能で視認者に斬新感を与える計器装置を提供する。【解決手段】車両用コンビネーションメータ１は計器ケース２とスピードメータ３と表ガラス５と意匠凸部照明用光源３３と遮蔽部材６とを備えている。スピードメータ３は、計器ケース２に取着され且つ文字板２０の指標と指針２１とを協働して車両の速度を表示する。表ガラス５は、スピードメータ３の視認者側を覆い、スピードメータ３と重なって視認される重なり部４０ａと該重なり部４０ａの周囲に位置する周囲部４０ｂとを有する。周囲部４０ｂには視認者側の面から凸の意匠凸部４２が形成されている。意匠凸部照明用光源３３は、計器ケース２内に配されて意匠凸部４２に向かって光を照射する。遮蔽部材６は、表ガラス５の周囲部４０ｂのうち意匠凸部４２以外から視認者に向かう意匠凸部照明用光源３３からの光を遮蔽し且つ意匠凸部４２を露出する露出部５０を有している。【選択図】図２
2010096528.tif 000002
【特許請求の範囲】
【請求項１】
計器ケースと、前記計器ケースに取り付けられた表示計器と、前記計器ケースに取り付けられて前記表示計器の視認者側を覆う透光性の表ガラスと、を有する計器装置であって、
前記表ガラスが、前記表示計器と重なって視認される重なり部と、該重なり部の周囲に位置する周囲部とを有し、
前記周囲部の前記視認者側の面から突出して形成された意匠凸部と、
前記計器ケース内に配置され且つ前記意匠凸部から前記視認者に向けて透過させる光を照射する光源と、
前記意匠凸部を前記視認者側に露出する露出部を有し且つ前記周囲部のうち前記意匠凸部以外から前記視認者に向かう前記光源からの光を遮蔽する遮蔽部材と、
を有していることを特徴とする計器装置。
【請求項２】
前記周囲部の前記視認者側の面から突出し且つ前記表示計器の外周に沿って円環状に形成されたリング状凸部と、
前記計器ケース内に配置され且つ前記リング状凸部から前記視認者に向けて透過させる光を照射する第２の光源と、
をさらに有していることを特徴とする請求項１に記載の計器装置。
【請求項３】
前記表ガラスが、前記意匠凸部と前記リング状凸部との間にスリットを有していることを特徴とする請求項２に記載の計器装置。
【請求項４】
前記遮蔽部材は、透光可能に形成された複数の意匠表示部が所定の箇所に配された意匠表示エリアを有しているとともに、前記複数の意匠表示部の各々が、前記計器ケース内に配置された第３の光源からの光によって光輝する構成となっていることを特徴とする請求項１乃至請求項３に記載の計器装置。
【発明の詳細な説明】
【技術分野】
【０００１】
本発明は、車両、船舶等の移動体に搭載される計器装置に関する。
【背景技術】
【０００２】
車両、船舶などの移動体には、各種の計測手段が計測した複数の情報を移動体の乗員に対して表示する計器装置が搭載されている。この種の計器装置として、例えば、移動体としての車両の速度を表示するスピードメータと、エンジンの回転数を表示するタコメータと、燃料の残量を表示するフューエルゲージと、エンジンの冷却水の温度を表示するテンパラチャゲージなどの複数の表示計器を備えた車両用コンビネーションメータが用いられる（例えば特許文献１を参照。）。
【０００３】
前述した車両用コンビネーションメータは、前述した各メータ及びゲージの計器ユニットとしてのムーブメントを収容する計器ケースと、この計器ケースの視認者側に配される文字板と、指針と、文字板の裏面側に配される拡散板と、文字板及び指針の視認者から離れた側に配され且つ文字板及び指針に光を照射する光源と、文字板の視認者側に配されて文字板の表示不要部分を覆う見返し板と、見返し板の視認者側に配されて表示計器を保護する透明カバーなどを備えている。
【０００４】
前記文字板は、例えば、スピードメータ用文字板と、タコメータ用文字板と、フューエルゲージ用文字板と、テンパラチャゲージ用文字板などで構成されている。これら各文字板は、透光性を有する合成樹脂等からなり、それぞれ、車速度表示用目盛・文字、エンジン回転数表示用目盛・文字、燃料残量表示用目盛・文字、冷却水温度表示用目盛・文字などの指針によって指示される指標部が円弧状に配されて記されている。
【０００５】
また、前述した各文字板は、指標部が黒色等の遮光性着色層により形成され、この指標部の周囲の背景部分が乳白色等の透光性着色層により形成されている。また、前記指標部の内周側の背景部分には、半円形状に形成されたグラデーション部が設けられている。このグラデーション部は、前記透光性着色層の表面に重ねて印刷された、黒色のドットが内側から外側に向かうにしたがって徐々に密度が粗くなるように構成された網点印刷層により形成されている。
【０００６】
前記光源は、前記計器ケース内に取り付けられたプリント配線板等と電気的に接続されており、点灯状況が制御される。そして、光源は、前記計器ケース内に複数設けられて、前記指針の先端方向に向かって光を出射するように配されたり、前記文字板の背面側から該文字板を照射するように配されている。
【０００７】
前述した構成の車両用コンビネーションメータは、光源から照射された光が拡散板を介して文字板の視認者側に透光されて、該文字板の指標部の周囲の背景部分がリング状に光輝する。この際に、指標部の内周側に設けられたグラデーション部が、拡散板からの光によって内側から外側に向かうにしたがって徐々に色が薄くなるように照らし出されて、リング状のグラデーションを帯びて視認されることによって、文字板の表示に変化を与えて、装飾性の向上を図っていた。しかしながら、文字板への印刷による平面的な表現でしかないため、一定の新規性しか得られず、視認者に斬新感を与える表示が十分には得られなかった。
【０００８】
このため、視認者に対して新たな視覚効果を与えることができる車両用コンビネーションメータ（例えば特許文献２を参照。）が提案されている。この種の車両用コンビネーションメータは、文字板の視認者側に該文字板から離間させて透明カバーを配して、この透明カバーに文字板に対して浮遊状態となるように小表示部が設けている。
【０００９】
前記小表示部は、略円筒状のハウジングと、このハウジング内に収容される矩形状の液晶ディスプレイや有機ＥＬ素子等の表示デバイスと、この表示デバイスをその背後から照明するバックライト等を備えている。小表示部は、前述した透明カバーに形成された開口部内にハウジングが通されて、文字板の視認者側に配された指針の基部を覆うように取り付けられる。そして、小表示部は、表示デバイスによって表示画像で所定の車両の情報を表示する。これにより、小表示部が文字板の表面に対して宙に浮いた状態に運転者に視認させることで、立体感のある新たな視覚効果を提供していた。
【特許文献１】特開２００８−１２８９５９号公報
【特許文献２】特開２００４−１３２７５６号公報
【発明の開示】
【発明が解決しようとする課題】
【００１０】
しかしながら、前述した特許文献２に開示された車両用コンビネーションメータでは、構造が複雑になってしまい、部品点数が増加するとともに、組み付け作業が煩雑になってしまうという問題があった。
【００１１】
したがって、本発明は、簡単な構造で立体的な表示が可能であるとともに、視認者に斬新感を与えることができる計器装置を提供することを目的とする。
【課題を解決するための手段】
【００１２】
前記課題を解決し目的を達成するために、請求項１に記載された発明は、計器ケースと、前記計器ケースに取り付けられた表示計器と、前記計器ケースに取り付けられて前記表示計器の視認者側を覆う透光性の表ガラスと、を有する計器装置であって、前記表ガラスが、前記表示計器と重なって視認される重なり部と、該重なり部の周囲に位置する周囲部とを有し、前記周囲部の前記視認者側の面から突出して形成された意匠凸部と、前記計器ケース内に配置され且つ前記意匠凸部から前記視認者に向けて透過させる光を照射する光源と、前記意匠凸部を前記視認者側に露出する露出部を有し且つ前記周囲部のうち前記意匠凸部以外から前記視認者に向かう前記光源からの光を遮蔽する遮蔽部材と、を有していることを特徴とする計器装置である。
【００１３】
請求項２に記載された発明は、請求項１に記載された発明において、前記周囲部の前記視認者側の面から突出し且つ前記表示計器の外周に沿って円環状に形成されたリング状凸部と、前記計器ケース内に配置され且つ前記リング状凸部から前記視認者に向けて透過させる光を照射する第２の光源と、をさらに有していることを特徴とするものである。
【００１４】
請求項３に記載された発明は、請求項２に記載された発明において、前記表ガラスが、前記意匠凸部と前記リング状凸部との間にスリットを有していることを特徴とするものである。
【００１５】
請求項４に記載された発明は、請求項１乃至請求項３に記載された発明において、前記遮蔽部材は、透光可能に形成された複数の意匠表示部が所定の箇所に配された意匠表示エリアを有しているとともに、前記複数の意匠表示部の各々が、前記計器ケース内に配置された第３の光源からの光によって光輝する構成となっていることを特徴とするものである。
【００１６】
請求項１に記載された発明によれば、計器ケースに取り付けられ且つ表示計器の視認者側を覆う透光性の表ガラスが、前記表示計器と重なって視認される重なり部と該重なり部の周囲に位置する周囲部とを有し、周囲部の視認者側の面から突出して形成された意匠凸部と、計器ケース内に配置され且つ意匠凸部から視認者に向けて透過させる光を照射する光源と、意匠凸部を視認者側に露出する露出部を有し且つ周囲部のうち前記意匠凸部以外から視認者に向かう光源からの光を遮蔽する遮蔽部材と、を有しているので、光源から照射された光が遮蔽部材を介して視認者側に出射されることによって、表示計器より視認者側に位置する表ガラスの周囲部に突設された意匠凸部が、光輝するように視認者に視認させることができる。
【００１７】
請求項２に記載された発明によれば、周囲部の視認者側の面から突出し且つ表示計器の外周に沿って円環状に形成されたリング状凸部と、計器ケース内に配置され且つリング状凸部から視認者に向けて透過させる光を照射する第２の光源と、をさらに有しているので、第２の光源から照射された光が遮蔽部材を介して視認者側に出射されることによって、表示計器より視認者側に位置する表ガラスの周囲部に、表示計器の外周に沿って形成されたリング状凸部が光輝するように視認者に視認させることができる。
【００１８】
請求項３に記載された発明によれば、表ガラスが、意匠凸部とリング状凸部との間にスリットを有しているので、意匠凸部に向かって照射された光源からの光がリング状凸部側に透過することを抑制するとともに、リング状凸部に向かって照射された第２光源からの光が意匠凸部側に透過することを抑制することができる。
【００１９】
請求項４に記載された発明によれば、遮蔽部材は、透光可能に形成された複数の意匠表示部が所定の箇所に配された意匠表示エリアを有しているとともに、複数の意匠表示部の各々が、計器ケース内に配置された第３の光源からの光によって光輝する構成となっているので、表示計器より視認者側に位置する遮蔽部材の複数の意匠表示部の各々が光輝して視認者に視認されることにより、表示計器と遮蔽部材の複数の意匠表示部とによって奥行きを強調することができる。
【発明の効果】
【００２０】
以上説明したように、請求項１に記載の発明は、光源から照射された光が遮蔽部材を介して視認者側に出射されることによって、表示計器より視認者側に位置する表ガラスの周囲部に突設された意匠凸部が、光輝するように視認者に視認させることができるので、表示計器と表ガラスの意匠凸部とによって奥行きを強調することができ、簡単な構造で立体的な表示をすることができる。また、表ガラスに光輝して視認される意匠凸部が設けられることで、新規性のある装飾効果を得ることができる。したがって、簡単な構造で立体的な表示が可能であるとともに、視認者に斬新感を与えることができる。
【００２１】
請求項２に記載の発明は、第２の光源から照射された光が遮蔽部材を介して視認者側に出射されることによって、表示計器より視認者側に位置する表ガラスの周囲部に該表示計器の外周に沿って形成されたリング状凸部が、光輝するように視認者に視認させることができるので、表示計器と表ガラスのリング状凸部とによって奥行きをさらに強調することができ、簡単な構造でより立体的な表示をすることができる。また、表ガラスに光輝して視認されるリング状凸部が設けられることで、より新規性のある装飾効果を得ることができる。したがって、簡単な構造でより立体的な表示が可能であるとともに、視認者に斬新感をさらに与えることができる。
【００２２】
請求項３に記載の発明は、意匠凸部に向かって照射された光源からの光がリング状凸部側に透過することを抑制するとともに、リング状凸部に向かって照射された第２光源からの光が意匠凸部側に透過することを抑制することができるので、表ガラスの周囲部に配置された意匠凸部とリング状凸部とを簡単な構造で別々に光輝させることができる。したがって、意匠凸部とリング状凸部との視認性を良好にすることができる。
【００２３】
請求項４に記載の発明は、表示計器より視認者側に位置する遮蔽部材の複数の意匠表示部の各々が光輝して視認者に視認されることにより、表示計器と遮蔽部材の複数の意匠表示部とによってより一層奥行きを強調することができるので、簡単な構造でより一層立体的な表示をすることができるとともに、より一層新規性のある装飾効果を得ることができる。したがって、簡単な構造でより一層立体的な表示が可能であるとともに、視認者に斬新感をより一層与えることができる。
【発明を実施するための最良の形態】
【００２４】
以下、本発明の一実施形態にかかる計器装置を図１乃至図４を参照して説明する。本発明の一実施形態にかかる計器装置としての車両用コンビネーションメータ１は、移動体としての自動車等の車両に搭載されて、この車両の乗員に対して該車両の状況を表示する装置である。
【００２５】
車両用コンビネーションメータ１は、図１又は図４に示すように、計器ケース２と、車両の速度を表示する表示計器としてのスピードメータ３と、走行距離等の各種情報を表示する液晶ディスプレイ４と、前記計器ケース２に取り付けられてスピードメータ３の視認者側を覆う表ガラス５と、この表ガラス５の視認者側に取り付けられた遮蔽部材６等を備えている。
【００２６】
なお、本実施形態では、説明を簡単化するために、車両の速度を示す表示計器であるスピードメータ３のみ備えた構成としているが、他にも車両のエンジン回転数を示す回転計、エンジンの冷却水温度を示す水温計、燃料残量を示す燃料計等の表示計器を備えた構成としても良いことは勿論である。
【００２７】
計器ケース２は、合成樹脂等から形成されており、図４に示すように、ケース本体１０と、裏カバー１１とを備えている。ケース本体１０は、視認者に相対する前面壁１０ａと、この前面壁１０ａの外周縁から立設し且つ視認者から離れる方向に延びた周壁１０ｂとを備えている。ケース本体１０は、視認者から離れる側、即ち、背面側に開口する箱状に形成されている。周壁１０ｂは、ケース本体１０の外郭を形成する。
【００２８】
前面壁１０ａは、文字板取付部１２と、露出窓１６と、複数の照明用開口部１７と、リング状開口部１８などを備えている。文字板取付部１２は、図２又は図４に示すように、前面壁１０ａの視認者側から凹状に形成されており、スピードメータ３の後述する文字板２０が取り付けられる。文字板取付部１２は、表面（視認者側の面）に反射面１３（図２に示す）が設けられている。この反射面１３は、後述するプリント配線板２３の文字板照明用ＬＥＤ３１からの光を反射する。
【００２９】
また、文字板取付部１２には、スピードメータ３の後述するムーブメント２２の出力軸２９を通し且つ後述するプリント配線板２３の複数の指針照明用ＬＥＤ３２からの光を通すための開口筒部１４と、後述するプリント配線板２３の複数の文字板照明用ＬＥＤ３１からの光を文字板２０側へ通すための円弧状開口部１５とが設けられている。
【００３０】
露出窓１６は、図４に示すように、前面壁１０ａを貫通して形成されるとともに、前述した液晶ディスプレイ４を視認者に対して露出させる。
【００３１】
複数の照明用開口部１７は、それぞれ、図２又は図４に示すように、前面壁１０ａを貫通して形成されており、後述するプリント配線板２３の複数の意匠凸部照明用ＬＥＤ３３及び複数の意匠表示部照明用ＬＥＤ３５からの光を通す。また、複数の照明用開口部１７は、それぞれ、内周縁から立設し且つ視認者から離れる方向に延びた延出壁１７ａが設けられている。
【００３２】
延出壁１７ａは、図２又は図３に示すように、ケース本体１０内において複数の照明用開口部１７各々の空間を仕切って、各照明用開口部１７内に配された意匠凸部照明用ＬＥＤ３３及び意匠表示部照明用ＬＥＤ３５からの光が、隣り合う各照明用開口部１７内に洩れることを防止する。
【００３３】
リング状開口部１８は、図２又は図４に示すように、前面壁１０ａを貫通し且つ平面視が円弧状に形成されるとともに、前述した文字板取付部１２の外周を縁取るように設けられている。リング状開口部１８は、後述するプリント配線板２３の複数のリング状凸部照明用ＬＥＤ３４からの光を通す。
【００３４】
裏カバー１１は、図２又は図４に示すように、底面１１ａと該底面１１ａの外周縁から立設し且つ移動体の乗員側に延びた周壁１１ｂとを備えて、視認者側即ちケース本体１０側に開口したケース状に形成されている。裏カバー１１は、ケース本体１０の視認者から離れた側即ち背面側に取り付けられて、該ケース本体１０の開口を閉塞する。
【００３５】
スピードメータ３は、図１乃至図４に示すように、表面（視認者側の面）に目盛及び数字、文字又は記号等の指標部２０ａが設けられた文字板２０と、この文字板２０の視認者側に配される指針２１と、この指針２１が取り付けられるムーブメント２２と、文字板２０の視認者から離れた側即ち背面側に配され且つ回路パターンが設けられたプリント配線板２３と、文字板２０の指標部２０ａの外周に配される装飾リング２４とを備えている。
【００３６】
文字板２０は、図２又は図４に示すように、透光性の合成樹脂等からなり且つ略円盤状に形成されている。文字板２０は、表面（視認者側の面）に黒色等の図示しない遮光層が設けられており、該遮光層のスピードメータ３に対応した速度を示す目盛、数字、記号等の部分が除かれることで指標部２０ａが形成されている。この指標部２０ａは、スピードメータ３の指針２１の回動許容範囲に対応するように略円弧状に配置されている。
【００３７】
また、文字板２０には、図４に示すように、液晶ディスプレイ４を視認者に対して露出させる露出窓２５と、ムーブメント２２の後述する出力軸２９が挿通される通し孔２６とが形成されている。そして、文字板２０は、計器ケース２のケース本体１０の前面壁１０ａの文字板取付部１２に取り付けられて、指標部２０ａが背後からの光即ち後述する複数の文字板照明用ＬＥＤ３１からの光を前方（視認者側）に透過することで視認者に発光視認される。
【００３８】
指針２１は、アクリル樹脂等の透光性を有する材料等から形成されており、図２に示すように、基部２７と該基部２７から外側に向かって延びた指示部２８とを備えている。指針２１は、基部２７がムーブメント２２の後述する出力軸２９に取り付けられており、該出力軸２９によって計測量に応じた位置に回動される。また、指針２１は、基部２７が文字板２０に形成された指標部２０ａの中央に位置するように配されている。
【００３９】
そして、指針２１は、車速計測手段が計測した計測量に応じて、ムーブメント２２によって回動されて、文字板２０に形成された指標部２０ａと協働して計測量を表示する。また、指針２１は、例えば夜間等の暗い時等において、基部２７にプリント配線板２３の後述する指針照明用ＬＥＤ３２からの光が入射されて、入射した光を指示部２８の先端に向かって反射して該指示部２８が光輝する。
【００４０】
ムーブメント２２は、図２に示すように、プリント配線板２３の視認者から離れた側即ち背面側に取り付けられて、車両に搭載された図示しない車速計測手段と接続されている。ムーブメント２２は、車速計測手段が計測した計測量等に応じて回転する出力軸２９を備えている。そして、ムーブメント２２は、出力軸２９が前述した文字板２０の通し孔２６とケース本体１０の開口筒部１４とプリント配線板２３の後述する通し孔３０とを通されて、このプリント配線板２３の視認者から離れた側即ち背面側（文字板２０と相対する面の裏側の面）に取り付けられて計器ケース２内に収容されている。
【００４１】
プリント配線板２３は、可撓性を有していない比較的硬質な材料からなり、図２又は図４に示すように、平面が略矩形の平板状に形成されている。プリント配線板２３には、前述した液晶ディスプレイ４と、ムーブメント２２と、文字板２０の指標部２０ａを照明する複数の文字板照明用ＬＥＤ３１と、指針２１を照明する複数の指針照明用ＬＥＤ３２と、表ガラス５の後述する意匠凸部４２を照明する複数の意匠凸部照明用ＬＥＤ３３と、表ガラス５の後述するリング状凸部４３を照明する複数のリング状凸部照明用ＬＥＤ３４と、遮蔽部材６の後述する意匠表示部５１を照明する複数の意匠表示部照明用ＬＥＤ３５と、これらの動作を制御するためのマイコン等の電子部品等が実装されている。
【００４２】
また、プリント配線板２３には、前述したムーブメント２２の出力軸２９を通すための通し孔３０が設けられている。そして、プリント配線板２３は、前述した計器ケース２のケース本体１０の前面壁１０ａ及び裏カバー１１の底壁１１ａと略平行に配されて、計器ケース２内に収容される。
【００４３】
複数の文字板照明用ＬＥＤ３１は、プリント配線板２３の表面（視認者側の面）の文字板２０の指標部２０ａに対応する位置に、該指標部２０ａの延在方向に沿って互いに間隔をあけて配されて、文字板２０の指標部２０ａを光輝させる。複数の指針照明用ＬＥＤ３２は、プリント配線板２３の表面（視認者側の面）の指針２１の基部２７に対応する位置に配されて、該指針２１を光輝させる。
【００４４】
複数の意匠凸部照明用ＬＥＤ３３は、図４に示すように、本実施形態では２つ設けられており、それぞれ、プリント配線板２３の表面（視認者側の面）の表ガラス５の後述する各意匠凸部４２に対応する位置に配されて、該意匠凸部４２を光輝させる。この複数の意匠凸部照明用ＬＥＤ３３は、特許請求の範囲に記載の光源に相当する。
【００４５】
なお、前述した複数の意匠凸部照明用ＬＥＤ３３においては、例えば、表ガラス５の後述する各意匠凸部４２に対して３つ設けて構成されて、それぞれが異なるタイミングで光を照射するように構成されていても良く、さらに、それぞれが異なる所定の色の光を照射するように構成されていても良い。
【００４６】
複数のリング状凸部照明用ＬＥＤ３４は、プリント配線板２３の表面（視認者側の面）の表ガラス５の後述するリング状凸部４３に対応する位置に、該リング状凸部４３の延在方向に沿って互いに間隔をあけて配されて、リング状凸部４３を光輝させる。この複数のリング状凸部照明用ＬＥＤ３４は、特許請求の範囲に記載の第２の光源に相当する。
【００４７】
複数の意匠表示部照明用ＬＥＤ３５は、それぞれ、プリント配線板２３の表面（視認者側の面）の遮蔽部材６の後述する意匠表示部５１各々に対応する位置に配されて、該意匠表示部５１の各々を適宜で光輝させる。この複数の意匠表示部照明用ＬＥＤ３５は、特許請求の範囲に記載の第３の光源に相当する。
【００４８】
装飾リング２４は、文字板２０と略同一外形形状のリング状に形成されている。装飾リング２４は、文字板２０の表面（視認者側の面）に取り付けられて、視認者側から見て文字板２０の指標部２０ａの外周縁を縁取るように配置されている。
【００４９】
前述した構成のスピードメータ３は、図示しない計測手段が計測した計測量に応じてムーブメント２２の出力軸２９及び指針２１を回転させる。そして、指針２１が、文字板２０の指標部２０ａを指示することによって、視認者に対し車両の状況を表示する。
【００５０】
液晶ディスプレイ４は、プリント配線板２３の表面（視認者側の面）にコネクタ等によって接続されており、車両の走行距離（オド表示による走行距離とトリップ表示による走行距離とのうち少なくとも一方の走行距離）を表示する。液晶ディスプレイ４は、図１又は図４に示すように、前述した計器ケース２のケース本体１０の露出窓１６及びスピードメータ３の文字板２０の露出窓２５を介して視認者側に露出する。
【００５１】
表ガラス５は、図１乃至図４に示すように、透光性を有する合成樹脂等からなり、視認者に相対する前面壁４０と、この前面壁４０の外周縁から立設し且つ視認者から離れる方向に延びた周壁４１とを備えている。表ガラス５は、視認者から離れる側即ち背面側に開口する箱状に形成されている。周壁４１は、前述した計器ケース２のケース本体１０の周壁１０ｂと略同一外形形状に形成されており、表ガラス５の外郭を形成する。
【００５２】
前面壁４０は、視認者に前述したスピードメータ３と重なって視認される重なり部４０ａと、該重なり部４０ａの周囲に位置する周囲部４０ｂとを備えている。重なり部４０ａは、平面視が略円形で且つスピードメータ３の装飾リング２４と略同一外形形状に形成されている。周囲部４０ｂは、重なり部４０ａを挟む格好で該重なり部４０ａの両側（図４中左右側）に配置されている。
【００５３】
また、前面壁４０の周囲部４０ｂには、意匠凸部４２と、リング状凸部４３と、スリット４４と、複数の開口部４６などが設けられている。意匠凸部４２は、図１又は図４に示すように、周囲部４０ｂの表面（視認者側の面）から突出し且つ平面視が略三角形に形成されている。意匠凸部４２は、一対設けられており、互いの間に重なり部４０ａを挟む格好で周囲部４０ｂに配置されている。即ち、一対の意匠凸部４２は、互いの間にスピードメータ３を挟んだ格好で、前面壁４０の周囲部４０ｂに設けられている。
【００５４】
リング状凸部４３は、図１又は図４に示すように、周囲部４０ｂの表面（視認者側の面）から突出し且つ重なり部４０ａの外周に沿って円環状に形成されている。即ち、リング状凸部４３は、スピードメータ３の外周に沿うように、前面壁４０の周囲部４０ｂに設けられている。また、リング状凸部４３には、図２に示すように、外周に沿って挿入凹部４５が設けられている。
【００５５】
挿入凹部４５は、一対設けられており、互いの間に前面壁４０の重なり部４０ａを挟む格好で、リング状凸部４３の外周に配されている。一対の挿入凹部４５は、それぞれ、リング状凸部４３の外周に沿って円弧状に形成されている。挿入凹部４５は、図２に示すように、リング状凸部４３の外周から内周に向かって凹状に形成されている。そして、一対の挿入凹部４５は、それぞれ、内側に一対の遮蔽部材６の互いに相対する外縁部分が挿入される。
【００５６】
スリット４４は、図２に示すように、周囲部４０ｂの一対の意匠凸部４２とリング状凸部４３との間にそれぞれ配置されて、一対設けられている。一対のスリット４４は、それぞれ、周囲部４０ｂの表面（視認者側の面）から凹状に形成されている。なお、一対のスリット４４においては、例えば、表ガラス５の前面壁４０を貫通するように形成されていても良い。
【００５７】
複数の開口部４６は、それぞれ、図３又は図４に示すように、前面壁４０の周囲部４０ｂを貫通して形成されている。複数の開口部４６は、それぞれ、遮光部材６の後述する各意匠表示エリア５２と略同一外形形状に形成され且つ該各意匠表示エリア５２に対応する位置に配されている。そして、複数の開口部４６は、それぞれ、前述したプリント配線板２３の各意匠表示部照明用ＬＥＤ３５からの光を通す。
【００５８】
また、前述した表ガラス５には、視認者から離れた側即ち背面側に調光部材４７が取り付けられている。調光部材４７は、表ガラス５の視認者から離れた側、即ち表ガラス５の計器ケース２のケース本体１０と相対する側に配されている。調光部材４７は、周知の導光材料などから構成されており、互いの間に前面壁４０の重なり部４０ａを挟む格好で、一対設けられている。一対の調光部材４７は、それぞれ、重なり部４０ａ外周に沿って円弧状に形成された円弧状部４８と、この円弧状部４８の外縁から外側に延出した複数の直線部４９とを有している。
【００５９】
一対の調光部材４７の各円弧状部４８は、表ガラス５の前面壁４０のリング状凸部４３の視認者から離れた側に重なるように配されている。一対の調光部材４７各々の一つの直線部４９（図４中上方に位置する）は、それぞれ、表ガラス５の前面壁４０の各意匠凸部４２の視認者から離れた側に重なるように配されている。
【００６０】
前述した構成の一対の調光部材４７は、それぞれ、表ガラス５の視認者から離れた側に取り付けられて、円弧状部４８が背後からの光即ち複数のリング状凸部照明用ＬＥＤ３４が照射した光をリング状凸部４３に導くとともに、一つの直線部４９が背後からの光即ち複数の意匠凸部照明用ＬＥＤ３３が照射した光を各意匠凸部４２に導いて、これら各意匠凸部４２及びリング状凸部４３を光輝させる。
【００６１】
前述した構成の表ガラス５は、スピードメータ３の視認者側を覆うように、計器ケース２のケース本体１０に取り付けられている。即ち、表ガラス５は、間にスピードメータ３の文字板２０及び指針２１を挟んだ格好で、計器ケース２のケース本体１０に取り付けられている。そして、表ガラス５は、スピードメータ３や液晶ディスプレイ４等を覆って、車両用コンビネーションメータ１内へ埃等が侵入するのを防ぐ。
【００６２】
また、表ガラス５は、スピードメータ３の視認者側を覆うように、計器ケース２のケース本体１０に取り付けられて、各意匠凸部４２が背後からの光即ち複数の意匠凸部照明用ＬＥＤ３３が照射した光を前方（視認者側）に透過するとともに、リング状凸部４３が背後からの光即ち複数のリング状凸部照明用ＬＥＤ３４が照射した光を前方（視認者側）に透過することで、これら各意匠凸部４２及びリング状凸部４３が視認者に発光視認される。
【００６３】
遮蔽部材６は、図１又は図４に示すように、前述した表ガラス５の前面壁４０の周囲部４０ｂの視認者側に取り付けられるとともに、互いの間に前面壁４０の重なり部４０ａを挟む格好で、一対設けられている。一対の遮蔽部材６は、それぞれ、透光性の合成樹脂等からなり、平面視が略矩形の平板状で且つ重なり部４０ａ側（互いに相対する側）の外縁部分がリング状凸部４３の外周に沿うように円弧状に切り欠かれて形成されている。
【００６４】
一対の遮蔽部材６は、それぞれ、表面（視認者側の面）に黒色等の図示しない遮光層が設けられており、該遮光層のシフトポジションや各種ウォーニング等を示す文字、記号等の部分が除かれることで意匠表示部５１が複数形成されている。そして、これら複数の意匠表示部５１が各遮蔽部材６の所定の箇所に配されることで、図１に示すように、各遮蔽部材６に複数の意匠表示エリア５２が形成されている。
【００６５】
また、一対の遮蔽部材６には、それぞれ、各意匠凸部４２を視認者側に露出するための露出部５０が貫通して形成されている。
【００６６】
前述した構成の一対の遮蔽部材６は、それぞれ、互いに相対する外縁部分が表ガラス５の前面壁４０の周囲部４０ｂのリング状凸部４３の外周に形成された各挿入凹部４５内に挿入されて、周囲部４０ｂの視認者側の面に重ねられるとともに、各露出部５０内に周囲部４０ｂの各意匠凸部４２が各々位置付けられて、表ガラス５の前面壁４０に取り付けられる。
【００６７】
そして、一対の遮蔽部材６は、それぞれ、表ガラス５の前面壁４０の周囲部４０ｂの視認者側に配置されて、この周囲部４０ｂのうち意匠凸部４２以外から視認者に向かう複数の意匠凸部照明用ＬＥＤ３３及び複数のリング状凸部照明用ＬＥＤ３４が照射した光を遮蔽するとともに、複数の意匠表示エリア５２の各意匠表示部５１が意匠表示部照明用ＬＥＤ３５からの光を前方（視認者側）に透過することで視認者に発光視認される。
【００６８】
本実施形態によれば、計器ケース２に取り付けられ且つスピードメータ３の視認者側を覆う透光性の表ガラス５が、前記スピードメータ３と重なって視認される重なり部４０ａと該重なり部４０ａの周囲に位置する周囲部４０ｂとを有し、周囲部４０ｂの視認者側の面から突出して形成された意匠凸部４２と、計器ケース２内に配置され且つ意匠凸部４２から視認者に向けて透過させる光を照射する意匠凸部照明用ＬＥＤ３３と、意匠凸部４２を視認者側に露出する露出部５０を有し且つ周囲部４０ｂのうち意匠凸部４２以外から視認者に向かう意匠凸部照明用ＬＥＤ３３からの光を遮蔽する遮蔽部材６と、を有している。
【００６９】
このため、意匠凸部照明用ＬＥＤ３３から照射された光が遮蔽部材６を介して視認者側に出射されることによって、スピードメータ３より視認者側に位置する表ガラス５の周囲部４０ｂに突設された意匠凸部４２が、光輝するように視認者に視認させることができるので、スピードメータ３と表ガラス５の意匠凸部４２とによって奥行きを強調することができ、簡単な構造で立体的な表示をすることができる。また、表ガラス５に光輝して視認される意匠凸部４２が設けられることで、新規性のある装飾効果を得ることができる。したがって、簡単な構造で立体的な表示が可能であるとともに、視認者に斬新感を与えることができる。
【００７０】
また、周囲部４０ｂの視認者側の面から突出し且つスピードメータ３の外周に沿って円環状に形成されたリング状凸部４３と、計器ケース２内に配置され且つリング状凸部４３から視認者に向けて透過させる光を照射するリング状凸部照明用ＬＥＤ３４と、をさらに有している。
【００７１】
このため、リング状凸部照明用ＬＥＤ３４から照射された光が遮蔽部材６を介して視認者側に出射されることによって、スピードメータ３より視認者側に位置する表ガラス５の周囲部４０ｂに該スピードメータ３の外周に沿って形成されたリング状凸部４３が、光輝するように視認者に視認させることができるので、スピードメータ３と表ガラス５のリング状凸部４３とによって奥行きをさらに強調することができ、簡単な構造でより立体的な表示をすることができる。また、表ガラス５に光輝して視認されるリング状凸部４３が設けられることで、より新規性のある装飾効果を得ることができる。したがって、簡単な構造でより立体的な表示が可能であるとともに、視認者に斬新感をより一層与えることができる。
【００７２】
さらに、表ガラス５が、意匠凸部４２とリング状凸部４３との間にスリット４４を有している。このため、意匠凸部４２に向かって照射された意匠凸部照明用ＬＥＤ３３からの光がリング状凸部４３側に透過することを抑制するとともに、リング状凸部４３に向かって照射されたリング状凸部照明用ＬＥＤ３４からの光が意匠凸部４２側に透過することを抑制することができるので、表ガラス５の周囲部４０ｂに配置された意匠凸部４２とリング状凸部４３とを簡単な構造で別々に光輝させることができる。したがって、意匠凸部４２とリング状凸部４３との視認性を良好にすることができる。
【００７３】
また、遮蔽部材６は、透光可能に形成された複数の意匠表示部５１が所定の箇所に配された意匠表示エリア５２を有しているとともに、複数の意匠表示部５１の各々が、計器ケース２内に配置された意匠表示部照明用ＬＥＤ３５からの光によって光輝する構成となっている。
【００７４】
このため、スピードメータ３より視認者側に位置する遮蔽部材６の複数の意匠表示部５１の各々が光輝して視認者に視認されることにより、スピードメータ３と遮蔽部材６の複数の意匠表示部５１とによって、より一層奥行きを強調することができるので、簡単な構造でより一層立体的な表示をすることができるとともに、より一層新規性のある装飾効果を得ることができる。したがって、簡単な構造でより一層立体的な表示が可能であるとともに、視認者に斬新感をより一層与えることができる。
【００７５】
前述した実施形態では、調光部材４７は、意匠凸部照明用ＬＥＤ３３及びリング状凸部照明用ＬＥＤ３４からの光を表ガラス５の意匠凸部４２及びリング状凸部４３へ導光する周知の導光材料などで構成されている。しかしながら、本発明はこれに限定されるものではなく、例えば、意匠凸部照明用ＬＥＤ３３及びリング状凸部照明用ＬＥＤ３４から照射された光を拡散して、表ガラス５の意匠凸部４２及びリング状凸部４３を均一に光輝させる拡散板などを用いても良いことは勿論である。
【００７６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７７】
【図１】本発明の一実施形態にかかる車両用コンビネーションメータを示す正面図である。
【図２】図１中のＩＩ−ＩＩ線に沿う断面図である。
【図３】図１中のＩＩＩ−ＩＩＩ線に沿う断面図である。
【図４】図１に示された車両用コンビネーションメータを分解した状態を示す斜視図である。
【符号の説明】
【００７８】
１      車両用コンビネーションメータ（計器装置）
２      計器ケース
３      スピードメータ（表示計器）
５      表ガラス
６      遮蔽部材
３３    意匠凸部照明用ＬＥＤ（光源）
３４    リング状凸部照明用ＬＥＤ（第２の光源）
３３    意匠表示部照明用ＬＥＤ（第３の光源）
４０ａ  重なり部
４０ｂ  周囲部
４２  意匠凸部
４３  リング状凸部
４４  スリット
４６  開口部
５０  露出部
５１  意匠表示部
５２  意匠表示エリア
【図１】
2010096528.tif 000003
【図２】
2010096528.tif 000004
【図３】
2010096528.tif 000005
【図４】
2010096528.tif 000006